(57)【要約】【課題】  本発明は、石けんを保護しながら、石けんを保管、および、携帯したり、最後まで清潔に使い切るために工夫した石けん箱を提供する。【解決手段】  皿体（１）に水抜き孔（２）を設け、前記皿体（１）に伸縮ネット（７ａ）を設け、前記皿体（１）に外枠（３）を設け、前記外枠（３）に段差（５）を設けことを特徴とする石けん箱。【選択図】図２
2012120815.tif 000002
【特許請求の範囲】
【請求項１】
皿体（１）に水抜き孔（２）を設け、前記皿体（１）に伸縮ネット（７ａ）を設け、前記皿体（１）に外枠（３）を設け、前記外枠（３）に段差（５）を設けことを特徴とする石けん箱。
【請求項２】
皿体（１）に水抜き孔（２）を設け、前記皿体（１）に伸縮ネット（７ａ）を設け、前記皿体（１）に外枠（３）を設け、前記外枠（３）に段差（５）を設け、前記外枠（３）に伸縮ネット（７ｂ）を設け、前記外枠（３）に上蓋（４）を設けたことを特徴とする石けん箱。
【発明の詳細な説明】
【技術分野】
【０００１】  本発明は、石けんを保護しながら、石けんを保管、および、携帯したり、最後まで清潔に使い切るために工夫した石けん箱に関するものである。
【背景技術】
【０００２】  石けんを保管、および、携帯するための石けん箱は、従来、水抜き孔が開いたプラスチック皿体に置いたり、ネット袋に入れてつり下げて使用していた。
【発明の概要】
【発明が解決しようとする課題】
【０００３】  従来のプラスチック石けん箱だと、水抜き孔から漏れた石けん水で、石けん箱の下や、石けんと皿の接地面に「ぬめり」が発生して、不衛生な状態になりがちであった。
さらに、石けんは水切れの悪い状態に長時間さらされると、変形したり、途中から急激に溶けてしまうことが多かった。
近年、広く普及している無添加石けんなどは、固形成分が少ないことから、とくに、その傾向が強かった。
また、旅行先に石けんを携帯する場合、箱の中でぶつかったり転がったりすることもあり、石けんの保護は困難であった。
本発明は以上の問題点を解決するためになされたものである。
【課題を解決するための手段】
【０００４】  皿体（１）に水抜き孔（２）を設け、前記皿体（１）に伸縮ネット（７ａ）を設け、前記皿体（１）に外枠（３）を設け、前記外枠（３）に段差（５）を設ける。
以上のように構成された石けん箱である。【０００５】  皿体（１）に水抜き孔（２）を設け、前記皿体（１）に伸縮ネット（７ａ）を設け、前記皿体（１）に外枠（３）を設け、前記外枠（３）に段差（５）を設け、前記外枠（３）に伸縮ネット（７ｂ）を設け、前記外枠（３）に上蓋（４）を設ける。
以上のように構成された石けん箱である。
【発明の効果】
【０００６】  伸縮ネットが適度なクッション機能を果たし、スムーズに手にとったり置いたりできるようになる。
石けんから垂れる石けん水を皿で受けつつ、石けんを適度に乾燥させた状態で衛生的に保管できるので、石けん箱の下にぬめりが発生することもない。
さらに、石けんと皿が接触していないから、接地面（接触面）が溶けてぬめりが発生することもない。
従って、最後まできれいに使い切ることができる。
また、携帯時も緩衝された状態で石けんを保護しながら運ぶことができる。
【図面の簡単な説明】
【０００７】
【図１】  本発明の石けん箱の分解斜視図である。
【図２】  本発明の使用状態を示した断面図である。
【図３】  本発明の使用状態を示した断面図である。
【発明を実施するための形態】
【０００８】  以下、本発明の実施の形態を図面にもとづいて説明する。
皿体（１）の側面に複数の水抜き孔（２）を設け、前記皿体（１）に伸縮ネット（７ａ）を設け、前記皿体（１）に外枠（３）を設け、前記外枠（３）に段差（５）を設ける。
皿体（１）の底部の外面に複数の滑り止め（６）を設ける。
以上のように構成された石けん箱である。
【０００９】  皿体（１）の側面に複数の水抜き孔（２）を設け、前記皿体（１）に伸縮ネット（７ａ）を設け、前記皿体（１）に外枠（３）を設け、前記外枠（３）に段差（５）を設ける。
皿体（１）の底部の外面に複数の滑り止め（６）を設ける。
前記外枠（３）に伸縮ネット（７ｂ）を設け、前記外枠（３）に上蓋（４）を設ける。
前記上蓋（４）の上部の外面に複数の滑り止め（６）を設ける。
以上のように構成された石けん箱である。
【００１０】  伸縮ネット（７ａ）を皿体（１）の上部に配し、その上から、略中央部付近に段部（５）を設けた外枠（３）を挿入し、伸縮ネット（７ａ）を皿体（１）に固定すると、伸縮ネット（７ａ）の上面に石けん（８）を置くことができる。
また、この場合、もう１枚の伸縮ネット（７ｂ）を大きく形成し、伸縮ネット（７ａ）の上に石けん（８）を置いた皿体（１）と外枠（３）の上端を覆い、上蓋（４）を挿入して、外枠（３）と上蓋（４）の間に伸縮ネット（７ｂ）を挟み込む状態で張り、石けん（８）を伸縮ネット（７ａ）と伸縮ネット（７ｂ）の間に保持することが可能である。
さらに伸縮ネット（７ａ）を袋状に形成し、この袋状に石けん（８）を入れた後、外枠（３）を介して皿体（１）の上端に保持することも可能である。
【００１１】  さらに複数の滑り止め（６）を接着した上蓋（４）は、携帯時、保管時等、必要に応じて装着することができる。
【００１２】  また、伸縮ネット（７ａ）の上に置かれた石けん（８）は、外枠（３）を介して、外枠（３）の上端に伸縮ネット（７ｂ）を張りながら、上蓋（４）を挿着して石けん（８）を上下から挟持することもできる。
この場合、伸縮ネット（７ａ）と伸縮ネット（７ｂ）によって石けん（８）は挟持され、空中に浮いた状態で保持される。
【００１３】  本発明は、以上のような構造であるから、これを使用する時は、皿体（１）の周囲に複数水抜き孔（２）を設け、皿体（１）に伸縮ネット（７ａ）を置き、外枠（３）を皿体（１）に張りながら押さえ込み、張られた伸縮ネット（７ａ）の上に石けん（８）を置くことである。
さらに、携帯する時は、伸縮ネット（７ａ）の上に、石けん（８）を置いた、通常の使用状態に加えて、上からもう一枚の伸縮ネット（７ｂ）を置き、上蓋（４）を被せて伸縮ネット（７ｂ）を石けん箱内で張ることで、石けんは伸縮ネット（７ａ）と、伸縮ネット（７ｂ）の間にはさまれた状態で空中に安定した状態で保持することができる。
【００１４】  皿体（１）の上に伸縮ネット（７ａ）を置き、上端が段部（５）になった外枠（３）を、伸縮ネット（７ａ）の端部を押さえ込みながらはめ込み、ネットを張る。
張ったネットの上に石けん（８）を置く。
使用した石けん（８）から伸縮ネット（７ａ）の下に落ちる石けん水は、皿体（１）で一旦受け止められ、洗面所等では石けん箱を置いている場所を汚さずにすむ。
浴室等で、大量に水がかかる場合は、皿体（１）に余分にたまった水を水抜き孔（２）から排水する。
石けん（８）が溜まり水につかることはない。
また、上蓋（４）をして、石けん（８）を保護することもできる。
普段は、上蓋（４）をしめて石けん（８）を保管する場合は、石けん（８）を使用する時は、上蓋（４）をひっくり返し、皿体（１）の下に重ねてコンパクトに置くこともできる。
石けん（８）を携帯する時は、石けん（８）を伸縮ネット（７ｂ）の袋に入れてから、外枠（３）をはめて石けん（８）を宙に浮かせた状態で運ぶ。
皿体（１）が滴り落ちた石けん水で汚れたら、適宜ネットを外して洗浄できる。
また、伸縮ネットは疲労したり、色味に飽きた場合、新しい色を含めた新しい伸縮ネットに取り替える。
【００１５】  本発明では、石けん（８）を支える伸縮ネット（７ａ）、伸縮ネット（７ｂ）、が脱着可能であることを利用して、伸縮ネットの色種を多数そろえることで、皿体（１）や外枠（３）の色味との調和を考慮し、多数の色彩コーディネートを楽しむことが可能である。
「着替える石けん箱」として、デザイン性に乏しくなりがちな固定化した、従来の石けん箱の固定概念を払拭し、多種多様化する今日の石けんの進化に対応できるものとなる。
また、携帯時以外にも、異なる２色の伸縮ネットを重ねて使用することで、新たな発色も期待できる。
【符号の説明】
【００１６】１    皿体
２    水抜き孔
３    外枠
４    上蓋
５    段部
６    滑り止め
７ａ  伸縮ネット
７ｂ  伸縮ネット
８    石けん
【図１】
2012120815.tif 000003
【図２】
2012120815.tif 000004
【図３】
2012120815.tif 000005